(57)【要約】【課題】  ガイドレールを安定して支持することができるガイドレール支持構造を提供する。【解決手段】  ガイドレール支持構造１０は、建家７内のエレベータ昇降路８内にガイドレール１９を支持する構造である。ガイドレール支持構造１０は、建家構造体９に固定された複数の固定手段２０と、複数の固定手段２０と連結され、建家構造体９から離間して設置されたガイドレール支持部材１１と、ガイドレール支持部材１１に支持されたガイドレール１９と、を備えている。ガイドレール支持部材１１はガイドレール１９に沿って延びている。【選択図】  図１
2007062949.tif 000002
【特許請求の範囲】
【請求項１】
建家内のエレベータ昇降路内にガイドレールを支持するガイドレール支持構造において、
建家構造体に取り付けられた複数の固定手段と、
複数の固定手段と連結され、建家構造体から離間して設置されたガイドレール支持部材と、
ガイドレール支持部材に取り付けられたガイドレールと、を備え、
ガイドレール支持部材はガイドレールに沿って延びていることを特徴とするガイドレール支持構造。
【請求項２】
ガイドレール支持部材が凹部を有することを特徴とする請求項１に記載のガイドレール支持構造。
【請求項３】
ガイドレールはガイドレール支持部材に取付手段を介して取り付けられていることを特徴とする請求項１または２に記載のガイドレール支持構造。
【請求項４】
ガイドレール支持部材と固定手段との連結部分近傍において、ガイドレール支持部材および固定手段の少なくともどちらか一方に切り欠きが形成されていることを特徴とする請求項１乃至３のいずれか一項に記載のガイドレール支持構造。
【請求項５】
ガイドレール支持部材が角パイプからなることを特徴とする請求項１乃至３のいずれか一項に記載のガイドレール支持構造。
【請求項６】
ガイドレール支持部材に、乗りかご用ガイドレールとつり合い重り用ガイドレールとが取り付けられていることを特徴とする請求項１乃至５のいずれか一項に記載のガイドレール支持構造。
【請求項７】
ガイドレール支持部材は複数本の鋼材から形成されていることを特徴とする請求項６に記載のガイドレール支持構造。
【請求項８】
建家内のエレベータ昇降路内にガイドレールを支持するガイドレール支持方法において、
建家構造体に複数の固定手段を取り付ける工程と、
複数の固定手段とガイドレール支持部材とを連結して、建家構造体から離間してガイドレール支持部材を設置する工程と、
ガイドレールをガイドレール支持部材に取り付ける工程と、を備え、
ガイドレール支持部材はガイドレールに沿って延びるように設置されることを特徴とするガイドレール支持方法。
【発明の詳細な説明】
【技術分野】
【０００１】
本発明は、建家内に設けられたエレベータ昇降路内にガイドレールを支持するガイドレール支持構造およびガイドレール支持方法に関する。
【背景技術】
【０００２】
図１０に示すように、エレベータの乗りかご３２やつり合い重り３４の移動を案内するため、乗りかご３２やつり合い重り３４の昇降方向（移動方向）に沿って延びるガイドレール１９が、建家７に設けられたエレベータ昇降路８内に支持される。
【０００３】
図１１は、エレベータ昇降路内８へのガイドレール１９の支持方法の従来例を説明する側面図である。この方法において、エレベータ設置場所の事前工事として、建家の構造体をなす建家梁９の間に、昇降方向に沿って延びるガイドレール支持部材１１が直接取り付けられる。また、建家梁９にファスナ２１が取り付けられ、ガイドレール支持部材１１にブラケット２７が取り付けられる。その後、ガイドレール１９がレールブラケット２８等を介し、ファスナ２１やガイドレール支持部材１１に取り付けられたブラケット２７へ固定される。
【発明の開示】
【発明が解決しようとする課題】
【０００４】
このような方法においては、ガイドレール支持部材にブラケットを一定間隔で取り付け固定しておくことにより、ガイドレールをガイドレール支持部材に対し昇降方向に沿って一定間隔で連結固定することができ、これにより、ガイドレールを安定して支持することができる。
【０００５】
しかしながら、建家梁間にガイドレール支持部材を直接取り付けることが、スペース上の問題等、建家側の条件から不可能であり、このガイドレール支持方法を用いることができない場合もある。
【０００６】
また、建家の工事完成後あるいはエレベータ設置工事をする際、ガイドレール支持部材がエレベータ昇降路内に露出しなくなっている場合もある。この場合、ガイドレール支持部材を取り付けることができていたとしても、事前工事におけるガイドレール支持部材へのブラケット等の取り付けが位置や数量等において不適切であれば、ガイドレール支持部材を利用してガイドレールを適切に支持することができない。
【０００７】
本発明はこのような点を考慮してなされたものであり、建家側の条件や事前工事の状況によらず、昇降方向に沿って延びるガイドレール支持部材を建家のエレベータ昇降路内に設置することができ、これにより、ガイドレールを安定して支持することができるガイドレール支持構造およびガイドレール支持方法を提供することを目的とする。
【課題を解決するための手段】
【０００８】
本発明は、建家内のエレベータ昇降路内にガイドレールを支持するガイドレール支持構造において、建家構造体に取り付けられた複数の固定手段と、複数の固定手段と連結され、建家構造体から離間して設置されたガイドレール支持部材と、ガイドレール支持部材に取り付けられたガイドレールと、を備え、ガイドレール支持部材はガイドレールに沿って延びていることを特徴とするガイドレール支持構造である。このような本発明によれば、建家側の条件や事前工事の状況によらず、昇降方向に沿って延びるガイドレール支持部材を建家のエレベータ昇降路内に設置することができ、これにより、ガイドレールを安定して支持することができる。
【０００９】
本発明よるガイドレール支持構造において、ガイドレール支持部材が凹部を有するようにしてもよい。このような本発明によれば、例えば、エレベータ昇降路内に配設される配線および配管類をガイドレール支持部材の凹部内に収納することができる。これにより、エレベータ昇降路内のスペースを有効に利用することができる。
【００１０】
本発明よるガイドレール支持構造において、ガイドレールがガイドレール支持部材に取付手段を介して取り付けられてもよい。このような本発明によれば、ガイドレールをガイドレール支持部材に容易に取り付けることができる。
【００１１】
本発明よるガイドレール支持構造において、ガイドレール支持部材と固定手段との連結部分近傍において、ガイドレール支持部材および固定手段の少なくともどちらか一方に切り欠きが形成されてもよい。このような本発明によれば、ガイドレール支持部材をエレベータ昇降路内の建家構造体側によせて設置することができる。これにより、エレベータ昇降路内のスペースを有効利用することができ、また、エレベータ昇降路内を省スペース化することができる。
【００１２】
本発明よるガイドレール支持構造において、ガイドレール支持部材が角パイプからなるようにしてもよい。このような本発明によれば、ガイドレール支持部材がその重量に対して比較的に高い曲げ剛性を有するようになる。したがって、建設中等におけるガイドレールの取り扱いを容易にすることができるとともに、ガイドレール支持部材の変形を抑制してガイドレールをより安定して支持することができる。
【００１３】
本発明よるガイドレール支持構造において、ガイドレール支持部材に、乗りかご用ガイドレールとつり合い重り用ガイドレールとが取り付けられてもよい。このような本発明によれば、乗りかご用ガイドレールおよびつり合い用ガイドレールを、各々に応じた適切な場所および連結箇所数により、ガイドレール支持部材にそれぞれ取り付けることができる。これにより、つり合い重り用ガイドレールと乗りかご用ガイドレールとをそれぞれ適切な状態で安定して支持することができる。
【００１４】
本発明よるガイドレール支持構造において、ガイドレール支持部材が複数本の鋼材から形成されてもよい。このような本発明によれば、ガイドレール支持部材が高い剛性を有するようになり、これにより、支持レールをより安定して支持することができる。
【００１５】
本発明は、建家内のエレベータ昇降路内にガイドレールを支持するガイドレール支持方法において、建家構造体に複数の固定手段を取り付ける工程と、複数の固定手段とガイドレール支持部材とを連結して、建家構造体から離間してガイドレール支持部材を設置する工程と、ガイドレールをガイドレール支持部材に取り付ける工程と、を備え、
ガイドレール支持部材はガイドレールに沿って延びるように設置されることを特徴とするガイドレール支持方法である。このような本発明によれば、建家側の条件や事前工事の状況によらず、昇降方向に沿って延びるガイドレール支持部材を建家のエレベータ昇降路内に設置することができ、これにより、ガイドレールを安定して支持することができる。
【発明の効果】
【００１６】
本発明によれば、建家側の条件や事前工事の状況によらず、昇降方向に沿って延びるガイドレール支持部材を建家のエレベータ昇降路内に設置することができ、これにより、ガイドレールを安定して支持することができる。
【発明を実施するための最良の形態】
【００１７】
以下、図面を参照して本発明の実施の形態について説明する。
【００１８】
＜第１の実施の形態＞
まず、図１および図２を用い、本発明によるガイドレール支持構造およびガイドレール支持方法の第１の実施の形態について説明する。なお、図１はガイドレール支持構造およびガイドレール支持方法を説明する側面図であり、図２はガイドレール支持部材およびガイドレール支持方法を説明する断面図である。
【００１９】
図１に示すように、ガイドレール支持構造１０は、建家構造体９に固定された複数の固定手段２０と、複数の固定手段２０と連結され建家構造体９から離間して設置されたガイドレール支持部材１１と、ガイドレール支持部材１１に支持されたガイドレール１９と、を備えている。ガイドレール１９は、乗りかご３２やつり合い重り３４に隣接して配置され（図１０）、昇降方向、すなわち乗りかご３２やつり合い重り３４の移動方向に沿って延びている。このようなガイドレール１９は、乗りかご３２やつり合い重り３４に設けられたローラー（図示せず）等と係合して、乗りかご３２やつり合い重り３４の昇降方向への移動を案内する。
【００２０】
図１に示すように、ガイドレール１９は、取付手段２６を介してガイドレール支持部材１１に連結固定されている。図１に示す例において、取付手段２６は、ガイドレール１９に連結固定されたレールブラケット２８と、ガイドレール支持部材１１に連結固定されたレールブラケット受け２７と、を有している。取付手段２６を構成するこれらのレールブラケット２８やレールブラケット受け２７は、例えば、平板状の鋼材、断面コ字状を有する鋼材（チャンネル材）、断面Ｌ字状を有する鋼材（アングル形状）等から形成され得る。このような取付手段２６を介したガイドレール１９のガイドレール支持部材１１への連結位置や連結箇所数は、ガイドレール１９をガイドレール支持部材１１によって安定して支持することができる限りにおいて特に限定されない。また、レールブラケット２８のガイドレール１９への固定方法、レールブラケット受け２７のガイドレール支持部材１１への固定方法、およびレールブラケット２８とレールブラケット受け２７との間の固定方法等は、ボルトとナットとを用いた締結や、溶接等の方法を採用することができる。
【００２１】
固定手段２０は、建家構造体９に固定して取り付けられたファスナ２１と、ガイドレール支持部材１１に連結固定されたガイドレール支持部材用ブラケット２２と、を有している。固定手段２０を構成するこれらのファスナ２１やガイドレール支持部材用ブラケット２２は、例えば、平板状の鋼材、断面コ字状を有する鋼材、断面Ｌ字状を有する鋼材等から形成され得る。また、ファスナ２１の建家構造体９への固定方法、ガイドレール支持部材用ブラケット２２のガイドレール支持部材への固定方法、およびファスナ２１とガイドレール支持部材用ブラケット２２との間の固定方法等は、ボルトとナットとを用いた締結や、溶接等の方法を採用することができる。
【００２２】
なお、図１に示されているよう、本実施の形態において、固定手段２５は、建家構造体９として建家７の梁をなすＨ鋼（Ｈ型鋼）に取り付け固定されているが、これに限られず、建家構造体９としての構造壁等に取り付け固定されてもよい。
【００２３】
図１に示すように、ガイドレール支持部材１１は、ガイドレール１９と平行にガイドレール１９に沿って延びている。ガイドレール支持部材１１は、例えば、平板状の鋼材、断面Ｈ字状を有するＨ鋼、断面コ字状を有する鋼材（チャンネル材）、断面Ｌ字状を有する鋼材（アングル形状）等から形成され得る。ガイドレール支持部材１１の形状は、ガイドレール１９を安定して支持することができる限りにおいて特に限定されないが、その長手方向に沿って延びる凹部１６を有していることが好ましい。
【００２４】
図２には、好ましいガイドレールの断面を一例として示している。図２（ａ）は図１のＩＩ−ＩＩ線に沿った断面であってＨ鋼からなるガイドレール支持部材１１を示しており、図２（ｂ）は断面コ字状を有する鋼材からなるガイドレール支持部材１１ｂを示す図２（ａ）と同様の断面図であって、図２（ｃ）は断面Ｌ字状を有する鋼材からなるガイドレール支持部材１３を示す図２（ａ）と同様の断面図である。図２（ａ）乃至（ｃ）に示されたガイドレール支持部材１１，１２，１３は、いずれも凹部１６を有している。ガイドレール支持部材がその長手方向に沿った凹部１６を有する場合、エレベータ昇降路８内に昇降方向に沿って配設される配線および配管類を、ガイドレール支持部材１１の凹部１６内に収納することができる。この場合、エレベータ昇降路８内のスペースを有効に利用することができ、また、エレベータ昇降路８内が整理されるので保守作業時における安全性を向上させることができる。
【００２５】
なお、図１において、ガイドレール支持部材１１が上端近傍と下端近傍の２箇所で固定手段２０を介し建家構造体９に連結固定された例を示しているが、これに限られない。建家の状況に応じて連結位置および連結箇所数を変更してもよい。
【００２６】
次に、このようなガイドレール支持構造１０により、ガイドレール１９を建家７内に設けられたエレベータ昇降路８内に支持する方法（手順）について説明する。
【００２７】
まず、エレベータ設置前の事前工事として、例えば、建家７の建設中等に、建家構造体９に固定手段２０を取り付ける。建家構造体９への固定手段２０の取り付け位置や取り付け数量は、上述したように、ガイドレール支持部材１１を建家構造体９によって安定して支持することができるよう決定される。
【００２８】
固定手段２０の取り付けは、固定手段２０の少なくとも一部分が、エレベータ昇降路８内に突出するよう、あるいは、後に完成するエレベータ昇降路８となる領域内に突出するよう、行われる。この範囲において、このとき取り付けられる固定手段２０は、上述したレールブラケット２８やレールブラケット受け２７等を含む全ての構成部材である必要はなく、例えば、建家構造体９に直接接触して取り付けられる部材のみであってもよい。
【００２９】
この固定手段２０の取り付け作業のみが、エレベータ設置前の事前工事として行われ、これ以降の作業は、例えば、建家７自体の土木建築等の工事が完了し、エレベータ設置業者によるエレベータ設置工事において行われる。したがって、以降の作業中、化粧壁等によって建家構造体９がエレベータ昇降路８内に露出していない場合もあり得る。
【００３０】
次に、固定手段２０を介し、ガイドレール支持部材１１を建家構造体９へ取り付ける。この場合、エレベータ昇降路８内に建家構造体９が露出していなかったとしても、固定手段２０の少なくとも一部がエレベータ昇降路８内に露出しているため、ガイドレール支持部材１１を固定手段２０に取り付け、固定手段２０を介して建家構造体９に連結させることができる。なお、上述したように、予め建家構造体９に取り付けられた固定手段２０が固定手段２０の構成要素の一部であった場合には、固定手段２０の残りの構成部材の全てまたは一部をガイドレール支持部材１１に予め取り付け、この固定手段２０の一部が取り付け固定されたガイドレール支持部材１１をエレベータ昇降路８内に突出した固定手段２０の構成要素の一部に連結させるようにしてもよい。このようにして、エレベータ昇降路８内にガイドレール支持部材１１が設置される。
【００３１】
その後、ガイドレール支持部材１１に取付手段２６を介してガイドレール１９を取り付ける。取付手段２６の取り付け位置や取り付け数量は、ガイドレール１９をガイドレール支持部材１１によって安定して支持することができるよう決定される。
【００３２】
なお、上述したように、凹部１６を有するガイドレール支持部材１１が用いられている場合には、エレベータ昇降路８内に設置されたガイドレール支持部材１１の凹部１６に、エレベータ昇降路８内に配設させる配線および配管類を固定することが好ましい。
【００３３】
以上にようにして、上述したガイドレール支持構造１０により、建家７に設けられたエレベータ昇降路８内にガイドレール１９を支持することができる。
【００３４】
このような本実施の形態によれば、建家側の条件や事前工事の状況によらず、昇降方向に沿って延びるガイドレール支持部材１１を建家７のエレベータ昇降路９内に設置することができる。このガイドレール支持部材１１にガイドレール１９を、適切な数量の取付手段２６を介して適切な位置において連結することができる。例えば、上層階において、多数の取付手段２６を用い、昇降方向に沿って一定間隔を空けてガイドレール１９をガイドレール支持部材１１に堅固に固定することができる。したがって、ガイドレール１９をガイドレール支持部材１１によって安定して支持することができる。
【００３５】
また、本実施の形態においては、ガイドレール支持部材１１が凹部１６を有しており、エレベータ昇降路８内に配設される配線および配管類をこの凹部１６内に収納することができる。したがって、エレベータ昇降路８内のスペースを有効利用することができ、また、エレベータ昇降路８内が整理されるので保守作業時に安全性の面においても好ましい。
【００３６】
なお、本実施の形態において、ガイドレール１９がガイドレール支持部材１１に取付手段２６を介して支持される例を示したが、これに限られない。例えば、ガイドレール支持部材１１がガイドレール１９に対面する平面を有している場合には、取付手段２６を省きガイドレール１９をガイドレール支持部材１１に安定して直接取り付けることもできる。
【００３７】
＜第２の実施の形態＞
次に、図３および図４を用い、本発明によるガイドレール支持構造およびガイドレール支持方法の第２の実施の形態について説明する。
【００３８】
図３および図４に示す第２の実施の形態は、ガイドレール支持部材と固定手段２０との連結部分における構成が異なるのみであり、他は図１および図２を用いて説明した第１の実施の形態と略同一である。図３および図４において、図１および図２に示す第１の実施の形態と同一部分には同一符号を付すとともに、重複する詳細な説明は省略する。
【００３９】
図４に示すように、本実施の形態におけるガイドレール支持部材１１は、建家構造体９に対面する側（昇降路壁側）に配置された平板部１１ａと、この反対側であってエレベータ昇降路８側に配置された平板部１１ｂと、両平板部１１ａ，１１ｂ間を連結する連結平板部１１ｃと、を有するＨ鋼からなっている。そして、図３および図４に示されているように、固定手段２０との連結部分近傍において、建家構造体９に対面する側の平板部１１ａと、この平板部１１ａに隣接する連結平板部１１ｃの一部と、を取り除く切り欠き１８がガイドレール支持部材１１に形成されている。
【００４０】
一方、図４に示されているように、ガイドレール支持部材１１に固定される固定手段２０のガイドレール梁支持用ブラケット２２にも、ガイドレール支持部材１１の連結平板部１１ｃに対応する部分に設けられた切り欠き２２ａが形成されている。
【００４１】
このような構成からなるガイドレール支持部材用ブラケット２２は、エレベータ昇降路８側の平板部１１ｂに接触して固定されている。すなわち、図４に示されているように、固定手段２０のガイドレール支持部材１１との連結部分２２ｂが、ガイドレール支持部材１１の建家構造体９側の端部１１ｄよりもエレベータ昇降路８中心側に配置されるようになっている。したがって、ガイドレール支持部材１１をより建家構造体９側へ、言い換えると昇降路壁面へより近付けて設置することができ、狭いエレベータ昇降路９内のスペースの有効活用、または省スペース化を可能にすることができるようになる。
【００４２】
また、固定手段２０とガイドレール支持部材１１を係合させるようにして互いを固定することができるので、ガイドレール支持部材１１と固定手段２０とを容易かつ堅固に固定することができ、これにより、複雑形状を有することによって高い曲げ剛性（断面二次モーメント）を有した鋼材等からなるガイドレール支持部材１１を容易かつ安定して設置することができる。
【００４３】
なお、本実施の形態において、固定手段２０およびガイドレール支持部材１１の両方に切り欠き２２ａ，１８を設けた例を示したがこれに限られず、どちらか一方のみに切り欠きを設けるようにしてもよい。また、ガイドレール支持部材１１としてＨ鋼を用いた例を示したが、これに限られず、ガイドレール支持部材１１として種々の形状、例えば、断面コ字状（図２（ｂ））や断面Ｌ字状（図２（ｃ））を有する鋼材等を用いることができる。これらの場合においても、ガイドレール支持部材１１に設ける切り欠きの形状を適宜変更することにより、上述した本実施の形態の作用効果を奏することができるようになる。
【００４４】
＜第３の実施の形態＞
次に、図５および図６を用い、本発明によるガイドレール支持構造およびガイドレール支持方法の第３の実施の形態について説明する。
【００４５】
図５および図６に示す第３の実施の形態は、ガイドレール支持部材の断面形状が異なるのみであり、他は図１および図２を用いて説明した第１の実施の形態と略同一である。図５および図６において、図１および図２に示す第１の実施の形態と同一部分には同一符号を付すとともに、重複する詳細な説明は省略する。
【００４６】
図６に示すように、本実施の形態において、ガイドレール支持部材１４は角パイプからなっている。
【００４７】
角パイプは、その断面積に対して比較的に高い曲げ剛性（断面二次モーメント）を有する。したがって、本実施の形態によれば、運搬に有利であって取り扱いを容易にする低重量のガイドレール支持部材１４を用い、ガイドレール１９を安定して支持することができる。
【００４８】
また、図６に示されているように、ガイドレール支持部材１４は、ガイドレール１９に対面する側（エレベータ昇降路側）に平面を有している。したがって、取付手段２６を介することなくガイドレール１９をガイドレール支持部材１４に容易かつ堅固に取り付け固定することができる。これにより、ガイドレール１９をエレベータ昇降路８内に安定して支持することができる。また併せて、ガイドレール１９の昇降路壁面からの突出量を低減させることができるので、エレベータ昇降路８内スペースの有効利用または省スペース化を図ることができる。
【００４９】
なお、図３および図４に示す第２の実施の形態において説明した切り欠きを、本実施の形態にも適用することができる。
【００５０】
＜第４の実施の形態＞
次に、図７乃至図９を用い、本発明によるガイドレール支持構造およびガイドレール支持方法の第４の実施の形態について説明する。
【００５１】
図７乃至図９に示す第４の実施の形態は、乗りかご用ガイドレール１９ａとつり合い重り用ガイドレール１９ｂとが互いに接近した状態でエレベータ昇降路８内に支持される場合に適したものであり、図１および図２を用いて説明した第１の実施の形態と同一部分を多く含んでいる。図７乃至図９において、図１および図２に示す第１の実施の形態と同一部分には同一符号を付すとともに、重複する詳細な説明は省略する。
【００５２】
図９には、のりかご３２とつり合い重り３４とが隣接して配置され、乗りかご用ガイドレール１９ａとつり合い重り用ガイドレール１９ｂとが互いに接近した状態で、エレベータ昇降路８内に支持される場合の一例が、示されている。この場合、図７に示されたガイドレール支持構造１０を用いることができる。図７に示すガイドレール支持構造１０においては、１本のＨ鋼からなるガイドレール支持部材１１に、乗りかご用ガイドレール１９ａとつり合い重り用ガイドレール１９ｂとが、それぞれ、レールブラケット２８やレールブラケット受け２７からなる固定手段２０を介して支持されている。
【００５３】
従来の方法では、とりわけエレベータ事前工事終了後に建家構造体９がエレベータ昇降路８内に露出しないような場合、エレベータ昇降路８内に突出したブラケット等に、乗りかご用ガイドレール１９ａとつり合い重り用ガイドレール１９ｂとが同一高さ方向位置（同一昇降方向位置）で連結されていた。本実施の形態のガイドレール支持構造１０を用いれば、乗りかご用ガイドレール１９ａとつり合い重り用ガイドレール１９ｂとを、それぞれに適した連結位置および連結箇所数により互いから独立してガイドレール支持部材１１に連結させることができる。また、連結位置の自由度が増すので、各ガイドレール１９ａ，１９ｂをガイドレール支持部材１１へ連結する際に、エレベータ昇降路８内に設置された他の装置等との干渉を回避することが容易となる。これにより、エレベータ昇降路８内におけるガイドレール支持部材１１自体の設置場所の選択自由度も増すようになる。
【００５４】
なお、本実施の形態において、ガイドレール支持部材１１が２本のガイドレール１９ａ，１９ｂを支持する例を示したが、これに限れられず、状況に応じて３本以上のガイドレールを支持するようにしてもよい。
【００５５】
また、本実施の形態においては、ガイドレール支持部材１１が１本のＨ鋼からなる例を示したがこれに限られない。複数のガイドレール１９ａ，１９ｂを安定して支持することができる限りにおいて、断面コ字状（図２（ｂ））や断面Ｌ字状（図２（ｃ））を有した鋼材等からなるガイドレール支持部材、あるいは第３に実施の形態（図５および図６）で説明した角パイプからなるガイドレール支持部材１４を採用する等、適宜変更することができる。また、図８に示すように、固定手段２０により互いに連結された複数の鋼材１５ａ，１５ｂによって、ガイドレール支持部材１５が形成されるようにしてもよい。
【００５６】
さらに、図３および図４に示す第２の実施の形態において説明した切り欠きを、本実施の形態にも適用することができる。
【図面の簡単な説明】
【００５７】
【図１】本発明によるガイドレール支持構造およびガイドレール支持方法の第１の実施の形態を説明する側面図。
【図２】ガイドレール支持部材およびガイドレール支持方法の第１の実施の形態を説明する断面図。
【図３】ガイドレール支持構造およびガイドレール支持方法の第２の実施の形態を説明する側面図。
【図４】ガイドレール支持構造およびガイドレール支持方法の第２の実施の形態を説明する平面図。
【図５】ガイドレール支持構造およびガイドレール支持方法の第３の実施の形態を説明する側面図。
【図６】図４のＶＩ−ＶＩ線の沿った断面図。
【図７】ガイドレール支持構造およびガイドレール支持方法の第４の実施の形態を説明する平面図。
【図８】第４の実施の形態の変形例を示す平面図。
【図９】乗りかごとつり合い重りとの位置関係を示す平面図。
【図１０】建家内のエレベータ昇降路の一例を示す断面図。
【図１１】エレベータ昇降路内へのガイドレールの従来支持方法の一例を説明する側面図。
【符号の説明】
【００５８】
７  建家
８  エレベータ昇降路
９  建家構造体
１０  ガイドレール支持構造
１１，１２，１３，１４，１５  ガイドレール支持部材
１６  凹部
１８  切り欠き
１９  ガイドレール
１９ａ  乗りかご用ガイドレール
１９ｂ  つり合い重り用ガイドレール
２０  固定手段
２６  取付手段
【図１】
2007062949.tif 000003
【図２】
2007062949.tif 000004
【図３】
2007062949.tif 000005
【図４】
2007062949.tif 000006
【図５】
2007062949.tif 000007
【図６】
2007062949.tif 000008
【図７】
2007062949.tif 000009
【図８】
2007062949.tif 000010
【図９】
2007062949.tif 000011
【図１０】
2007062949.tif 000012
【図１１】
2007062949.tif 000013